(57)【要約】【課題】  利用者の電子ドキュメントの閲覧作業を妨げることなく閲覧に係るドキュメントに対するセキュリティレベルを向上させた電子ドキュメント閲覧装置およびその制御方法を提供すること。【解決手段】  電子ドキュメントを表示した後（ステップＳ３０３）、操作者側を撮像する（ステップＳ３０５）。次に、得られた撮像画像から人物の顔領域を抽出し（ステップＳ３０６）、その抽出された顔領域の数に応じて（ステップＳ３０７）、表示される電子ドキュメントを隠蔽化する（ステップＳ３０８）。【選択図】  図３
2005346307.tif 000002
【特許請求の範囲】
【請求項１】
電子ドキュメントを表示する表示手段と、
操作者側を撮像する撮像手段と、
前記撮像手段により得られた撮像画像から人物の顔領域を抽出する顔領域抽出手段と、
前記顔領域抽出手段により抽出された顔領域の数に応じて前記表示手段により表示される電子ドキュメントを隠蔽化する表示制御手段と、
を有することを特徴とする電子ドキュメント閲覧装置。
【請求項２】
前記表示制御手段は、前記顔領域抽出手段により２以上の人物の顔が抽出されたときに、前記表示手段により表示される電子ドキュメントを隠蔽化することを特徴とする請求項１に記載の電子ドキュメント閲覧装置。
【請求項３】
前記表示制御手段は、前記顔領域抽出手段により人物の顔が抽出されなかったたときに、前記表示手段により表示される電子ドキュメントを隠蔽化することを特徴とする請求項１に記載の電子ドキュメント閲覧装置。
【請求項４】
前記表示制御手段は、前記表示手段により表示される電子ドキュメントを縮小化することにより当該電子ドキュメントを隠蔽化することを特徴とする請求項１から３までのいずれかに記載の電子ドキュメント閲覧装置。
【請求項５】
前記表示制御手段は、前記表示手段により表示される電子ドキュメントをアイコン化することにより当該電子ドキュメントを隠蔽化することを特徴とする請求項１から３までのいずれか記載の電子ドキュメント閲覧装置。
【請求項６】
前記表示制御手段は、前記表示手段により表示される電子ドキュメントのコントラストを低下させることにより当該電子ドキュメントを隠蔽化することを特徴とする請求項１から３までのいずれか記載の電子ドキュメント閲覧装置。
【請求項７】
利用者が正規利用者であることの認証を行う認証手段を更に有することを特徴とする請求項１から６までのいずれかに記載の電子ドキュメント閲覧システム。
【請求項８】
前記顔領域抽出手段により１のみの人物の顔が抽出されたときに、その抽出された顔と前記認証手段を通過した現在の正規利用者の顔との照合を行い、その照合が失敗した場合、前記表示手段により表示される電子ドキュメントを隠蔽化することを特徴とする請求項７に記載の電子ドキュメント閲覧装置。
【請求項９】
電子ドキュメントを閲覧に供する電子ドキュメント閲覧装置の制御方法であって、
電子ドキュメントを表示する表示ステップと、
操作者側を撮像する撮像ステップと、
前記撮像ステップにより得られた撮像画像から人物の顔領域を抽出する顔領域抽出ステップと、
前記顔領域抽出ステップにより抽出された顔領域の数に応じて前記表示ステップにより表示される電子ドキュメントを隠蔽化する表示制御ステップと、
を有することを特徴とする電子ドキュメント閲覧装置の制御方法。
【請求項１０】
電子ドキュメントを閲覧に供する電子ドキュメント閲覧装置を制御するためのプログラムであって、
電子ドキュメントを表示する表示ステップのコードと、
操作者側を撮像する撮像ステップのコードと、
前記撮像ステップにより得られた撮像画像から人物の顔領域を抽出する顔領域抽出ステップのコードと、
前記顔領域抽出ステップにより抽出された顔領域の数に応じて前記表示ステップにより表示される電子ドキュメントを隠蔽化する表示制御ステップのコードと、
を含むことを特徴とするプログラム。
【請求項１１】
請求項１０に記載のプログラムを格納したコンピュータ読み取り可能な記憶媒体。
【発明の詳細な説明】
【技術分野】
【０００１】
本発明は、電子ドキュメントを閲覧に供するための電子ドキュメント閲覧装置およびその制御方法に関し、特に、電子ドキュメント閲覧装置により表示されるドキュメントのセキュリティを確保する技術に関する。
【背景技術】
【０００２】
従来の電子ドキュメント閲覧システムでは、例えば、生体情報格納用のデータベースに予め複数の人物の生体特徴情報（指紋、顔、筆跡、静脈流等のうちの１種類以上）を登録し、システムの利用者による機密度の高いドキュメントの閲覧の際、しかるべき生体情報入力装置から入力した当該利用者の生体特徴情報と、当該生体情報データベース内の生体特徴情報とを照合し、認証成功の場合に限り、当該機密度が高いドキュメントの内容を画面上に表示することで、当該ドキュメントを表示する際のセキュリティを強化するようなものがあった。例えば、特開２００４−５２７３号公報（特許文献１）には、指紋認証などの生体認証の照合結果で認証が得られた特定の利用者に対してのみ、文書へのアクセスを許可するようなセキュリティを向上させた文書管理システムが提案されている。
【０００３】
【特許文献１】特開２００４−５２７３号公報
【発明の開示】
【発明が解決しようとする課題】
【０００４】
しかしながら、上記したような従来のシステムの多くにおいては、生体認証により本人確認を行なうのはドキュメントを開くときのみであり、ドキュメントの表示中に操作者の背後からそのドキュメントを覗き見られたり、操作者が席を離れたりしてドキュメントを見られたりする可能性があった。
【０００５】
また、ドキュメントの表示中に、定期的にパスワード認証や指紋認証による本人確認を行い、システムの操作者が正規の利用者かどうかを判断するような構成にすることも可能であるが、この場合には、本人確認の頻度を多くするにつれシステムのセキュリティレベルが高まる反面、利用者はそのつど閲覧作業の中断を余儀なくされ、作業効率が落ちてしまうという問題があった。
【０００６】
そこで、本発明は、利用者の電子ドキュメントの閲覧作業を妨げることなく閲覧に係るドキュメントに対するセキュリティレベルを向上させた電子ドキュメント閲覧装置およびその制御方法を提供することを目的とする。
【課題を解決するための手段】
【０００７】
上記した課題は、本発明の電子ドキュメント閲覧装置およびその制御方法により解決される。本発明の一側面に係る電子ドキュメント閲覧装置は、電子ドキュメントを表示する表示手段と、操作者側を撮像する撮像手段と、前記撮像手段により得られた撮像画像から人物の顔領域を抽出する顔領域抽出手段と、前記顔領域抽出手段により抽出された顔領域の数に応じて前記表示手段により表示される電子ドキュメントを隠蔽化する表示制御手段とを有することを特徴とする。
【０００８】
本発明の別の側面に係る電子ドキュメント閲覧装置の制御方法は、電子ドキュメントを表示する表示ステップと、操作者側を撮像する撮像ステップと、前記撮像ステップにより得られた撮像画像から人物の顔領域を抽出する顔領域抽出ステップと、前記顔領域抽出ステップにより抽出された顔領域の数に応じて前記表示ステップにより表示される電子ドキュメントを隠蔽化する表示制御ステップとを有することを特徴とする。
【発明の効果】
【０００９】
本発明によれば、利用者の電子ドキュメントの閲覧作業を妨げることなく閲覧に係るドキュメントに対するセキュリティレベルを向上させた電子ドキュメント閲覧装置およびその制御方法が提供される。
【発明を実施するための最良の形態】
【００１０】
以下、図面を参照して本発明の好適な実施形態について詳細に説明する。
【００１１】
＜第１の実施形態＞
図１は、本実施形態における電子ドキュメント閲覧装置１０の外観を示す図である。この電子ドキュメント閲覧装置１０は、パーソナルコンピュータ等のコンピュータ本体１を有する。このコンピュータ本体１には、電子ドキュメントを表示するための、ＣＲＴや液晶等で構成されるディスプレイ２、各種指示を入力するためのキーボード４およびマウス５、そして、操作者６を撮像するためのカメラ（撮像装置）３が接続されている。カメラ３は、操作者が通常位置する方向に向けて、例えばディスプレイ２上に取り付けられている。
【００１２】
図２は、本実施形態における電子ドキュメント閲覧装置のハードウェア構成を示すブロック図である。電子ドキュメント閲覧装置は、図示の如く、ＣＰＵ２０１、キーボード４およびマウス５、ブートプログラムや固定的なデータを記憶するＲＯＭ２０２、主記憶装置として機能するＲＡＭ２０３、ディスプレイ２、カメラ３、各種データやプログラムを記憶するハードディスク装置（ＨＤＤ）２０６を有し、これらの各構成要素はバス２０５によって接続されている。ＨＤＤ２０６にはＯＳ１６や閲覧に供される電子ドキュメントファイル１２をはじめ、以下のものがインストールされている。１１は利用者認証のための処理を行うための認証情報データベース（ＤＢ）であり、利用者の認証用情報および電子ドキュメントの閲覧権限情報を含む。１３はカメラ３により得られた撮像画像から人物の顔領域を多顔抽出するための顔領域抽出プログラム、１４は認証情報ＤＢ１１に基づいて操作者の認証を行うための照合プログラム、１５は顔領域抽出プログラム１３による処理結果に基づいて、閲覧に供する電子ドキュメントファイル１２のディスプレイ２への表示態様を制御する表示制御プログラムである。
【００１３】
ただし、本実施形態における電子ドキュメント１２の各々には、閲覧権限を示す便宜上の閲覧可能グループの情報、例えば、“グループＡ”〜 “グループＥ”の５グループの内のいずれかが予め割り当てられているものとする。
【００１４】
認証情報ＤＢ１１は、例えば図６に示すような、正規利用者の“氏名”、“ユーザＩＤ”、“パスワード”、“閲覧権限”の項目を有する認証情報リストを含む。このうちの“閲覧権限”の欄には上記した閲覧可能グループの情報（複数可）が格納されている。
【００１５】
図３は、本実施形態における電子ドキュメント閲覧処理を示すフローチャートである。このフローチャートに対応するプログラムは表示制御プログラム１５、照合プログラム１４、顔領域抽出プログラム１３に含まれ、それぞれのプログラムがＲＡＭ２０３にロードされてＣＰＵ２０１によって実行される。
【００１６】
（ステップＳ３０１）
ＣＰＵ２０１はまず、照合プログラム１４に従いログオン処理を実行する。具体的には例えば、ディスプレイ２上に利用者認証用のダイアログ（図示省略）を表示する。操作者６は、キーボード４およびマウス５を用い、当該ダイアログ上から例えばユーザ名とパスワードの組からなる情報を入力する。そしてＣＰＵ２０１は、当該入力情報を認証情報ＤＢ１１内の認証情報リスト（図６参照）におけるデータと照合し、当該入力情報と同じユーザ名とパスワードの組が当該リスト内に存在するか否かで操作者６がシステムの正規利用者か否かを判断する。存在した場合は認証成功としてログオンを許可し、ステップＳ３０２へ進む。存在しない場合は認証失敗（ログオン不許可）とし、本処理を終了する。
【００１７】
（ステップＳ３０２）
次に、ＣＰＵ２０１は例えば、ＨＤＤ２０６に格納されている電子ドキュメント１２のファイル名のリストをディスプレイ２上へ表示する。操作者６はその中のいずれかをマウス５等により指定することができる。これにより閲覧に供する電子ドキュメントが選択される。
【００１８】
（ステップＳ３０３）
ＣＰＵ２０１は、認証情報ＤＢ１１内の認証情報リストにおけるログオンユーザの閲覧権限欄に、当該選択したドキュメントに割り与えられているグループ情報が存在するかどうかを判断し、存在する場合は、当該ドキュメントのファイルをＨＤＤ２０６からＲＡＭ２０３にロードした後、ディスプレイ２上へ表示する。閲覧権限が無い場合は、本処理を終了する。
【００１９】
（ステップＳ３０４）
ＣＰＵ２０１は、操作者６からのシステム終了の指示があるかどうかを判断し、真ならば本処理を終了し、偽ならばステップＳ３０５へ進む。
【００２０】
（ステップＳ３０５）
ＣＰＵ２０１は、カメラ３が撮像した画像（静止画）を受信し、ＲＡＭ２０３へ格納する。
【００２１】
（ステップＳ３０６）
ＣＰＵ２０１は、顔領域抽出プログラム１３に従い、ＲＡＭ２０３内の撮像画像から人物の顔領域を抽出する。ここでは例えば、人物の顔領域の多顔抽出（複数の顔の同時抽出）を行うことが好ましい。ここで用いる多顔抽出の手法としては、例えば、顔の輪郭を楕円にモデル化し、遺伝的アルゴリズム等で探索する手法（横尾、萩原：“遺伝的アルゴリズムを用いた自然画像からの複数顔領域抽出”：電学論１１７−Ｃ，９，ｐｐ．１２４５−１２５２，１９９７）、あるいは、カラー画像から検出した肌色領域から射影分布を作成し、その射影分布から遺伝子アルゴリズム等により顔領域候補を抽出し、その顔領域候補が顔領域かどうかを領域の縦横比や、予め用意した顔パターンとの一致や、頭髪に相当する領域の有無に基づいて判断することにより、カラー画像から人物の顔領域を抽出する方法（特開２０００−４８１８４号公報）など、既に提案された多くの方法のいずれを用いてもよい。
【００２２】
図５は、このステップＳ３０６における顔領域抽出処理を説明する図である。（ａ）〜（ｃ）はそれぞれ、ステップＳ３０５でカメラ３が撮像した画像の例を示している。このステップ３０６の顔領域抽出処理によれば、（ａ）の撮像画像からは１つの顔領域（５０１）が抽出され、（ｂ） の撮像画像からは２つの顔領域（５０２）が抽出され、（ｃ）の撮像画像からは３つの顔領域（５０３）が抽出される。
【００２３】
（ステップＳ３０７）
ＣＰＵ２０１は、ステップＳ３０６で抽出された顔領域の数が２以上または０であるか否かを判断する。真ならばステップＳ３０８へ、偽ならばステップＳ３０９へ進む。
【００２４】
（ステップＳ３０８）
ステップＳ３０６で抽出された顔領域の数が２以上あるということは、この電子ドキュメント閲覧装置の前に複数人いるということであり、ドキュメントへの不正アクセスが行われる可能性が高いと考えられる状況であると言える。また、ステップＳ３０６で抽出された顔領域の数が０であるということは、真正の操作者も不在であるということであり、ドキュメントが無防備の状態で表示された状況であると考えることができる。そこで、このステップＳ３０８では、表示中の電子ドキュメントの隠蔽化処理を行う。この隠蔽化処理とは、電子ドキュメントの内容が視認できないように若しくは視認しにくいようにその表示態様を変更することをいう。
【００２５】
図４は、表示中の電子ドキュメントの隠蔽化処理の例を示した図である。４０１は、電子ドキュメントの通常の表示態様を示している。４０２〜４０４は隠蔽化処理による表示態様の例を示しており、それぞれ、アイコン化、縮小化、低コントラスト化によって隠蔽化を実現する。隠蔽化の方法はこれら４０２〜４０４のいずれでもよく、操作者の事前の設定により選択可能に構成してもよい。なお、本ステップの隠蔽化処理は通常の表示態様４０１のときに実行される。現在隠蔽化状態にある場合にはその隠蔽化が継続される。
【００２６】
その後、ステップＳ３０４に戻り、処理を繰り返す。
【００２７】
（ステップＳ３０９）
ステップＳ３０６で抽出された顔領域の数が２以上ではなく０でもないということは、顔領域の数が１であるということに他ならない。この場合は真正の操作者だけがその場にいると考えることができるので、表示中の電子ドキュメントをそのまま表示を継続し、または、これまで隠蔽化状態であった場合には通常の表示態様（図４の４０１）で再表示する。その後、ステップ３０４に戻り、処理を繰り返す。
【００２８】
以上説明した第１の実施形態によれば、電子ドキュメントの表示に伴いカメラ３によって操作者側の撮像が行われ、その撮像画像から顔領域抽出処理が行われる。そして、抽出された顔領域の数に応じて表示中の電子ドキュメントが隠蔽化される。これにより、機密レベルが高いデータの閲覧の際、操作者の背後に第三者の存在を検知した時に当該データを隠蔽することが可能となり、当該第三者の盗み見による情報漏洩を防ぐことができるようになる。
【００２９】
また、当該電子ドキュメントの表示中に、操作者は認証用情報の入力（キーボードからのパスワードの入力、指紋センサからの指紋特徴情報の入力など）を求められることが無いため、操作者による閲覧作業の連続性が失われず、当該閲覧作業の効率が落ちることはない。
【００３０】
また、予め複数の人物の生体特徴情報をしかるべきデータベースに登録しておかなくてもセキュリティ対策ができるようになった。
【００３１】
さらには、抽出した生体情報から生体特徴情報を計算するプログラムや、計算した顔特徴情報とデータベース中の生体特徴情報との照合プログラム等をシステムに組み込む必要がなく、簡易なシステム構成で実現できるという利点もある。
【００３２】
もっとも、上記のような表示制御処理によりセキュリティ対策に加えて、操作者は、離席するときはシステムを終了する、あるいは画面に対してスクリーンセーバロックをかけるなどの自発的な当該電子ドキュメントの保護をすることが望ましい。
【００３３】
＜第２の実施形態＞
上述した第１の実施形態は、撮像画像の顔領域の数が１である場合は、真正の操作者だけがその場にいると考えて、表示中の電子ドキュメントをそのまま表示を継続し、または、これまで隠蔽化状態であった場合には通常の表示態様で再表示する、というものであった（ステップＳ３０９）。しかし、ログオンユーザが電子ドキュメントを表示させたままの状態でシステム終了あるいは画面の一時的ロックなどのセキュリティ対策を施さずに離席したような場合には、撮像画像の顔領域の数が１であるかぎり、それがログオンユーザ以外の人物（第三者）であったとしても、電子ドキュメントが継続して表示されてしまい、セキュリティが確保されない危険性がある。そこで本実施形態では、このような場合でもセキュリティが確保されるようにする。
【００３４】
本実施形態における電子ドキュメント閲覧装置の構成や処理の内容は第１の実施形態における電子ドキュメント閲覧装置と概ね同様であるので、本実施形態は第１の実施形態で用いた図面を援用する。ただし、本実施形態では、図６に示した認証情報リストの構造および、図３のフローチャートに特徴的な相違点が有るので、以下ではこれらの相違点についてのみ説明することにする。
【００３５】
本実施形態における認証情報ＤＢ１１は、図６に示した認証情報リストのかわりに、図７に示すような認証情報リストを含む。図６と対照すれば分かるように、この認証情報リストには、正規利用者の“氏名”、“ユーザＩＤ”、“パスワード”、“閲覧権限”のほか、“顔特徴情報”の項目が追加されている。「顔特徴情報」とは、例えば、固有顔方式あるいはＬＦＡ（Local FeatureAnalysis）方式等の顔認証アルゴリズムで利用される形式に変換されたデータである。なお、固有顔方式は、正規利用者の顔画像に対してＰＣＡ分析（主成分分析）により求めた複数の固有ベクトル（固有顔）を利用するもので、入力する顔画像との認識では、入力顔画像を固有顔に展開し、各固有顔に対する重みを求め、この重みの組とデータベース中の重みの組と類似度を評価することにより認識を行う。また、ＬＦＡ方式は、顔形状における花、眉毛、口、頬の曲率が変化する部分に対して主成分分析を行うもので、局所的特徴としては、32〜50個の小ブロック群が用いられ、これらの組み合わせで顔全体の特徴が表現される。ＬＦＡの結果はフェースコードと呼ばれるデータで記述される。
【００３６】
図８は、実施形態における電子ドキュメント閲覧処理を示すフローチャートである。図３のフローチャートにおける処理ステップと同じ処理ステップには同じステップ番号を付し、それらの説明を省略する。本実施形態に係る図８のフローチャートでは、ステップＳ３０７とＳ３０９との間に、ステップＳ３２０およびＳ３２１の処理ステップが追加されている。
【００３７】
ステップＳ３０９は撮像画像の顔領域の数が１である場合に電子ドキュメントの通常表示を行う処理であるが、その１の顔領域がログオンユーザであるという保証はないことは先述したとおりである。そこで、このステップＳ３０９の実行前に、ステップＳ３２０で、カメラ３による撮像画像から唯一抽出された顔領域に対する顔特徴情報を計算し、この顔特徴情報と、認証情報ＤＢ１１内の認証情報リスト中から取得した現ログオンユーザの顔特徴情報（図７）を、上述の固有顔方式のような顔照合アルゴリズムによって照合する。
【００３８】
そして、ステップＳ３２１で、ステップＳ３２０での照合が成功すればステップＳ３０９に進み電子ドキュメントの通常表示を行い、照合が失敗に終わればステップＳ３０８に進み電子ドキュメントの隠蔽化を行う。
【００３９】
以上の第２の実施形態によれば、カメラ３の撮像画像から抽出された顔領域の数が１の場合には、その顔領域がログオンユーザのものかを確認するために、顔特徴情報の照合が行われ、この照合が失敗したときは表示中の電子ドキュメントが隠蔽化される。これにより、ログオンユーザが電子ドキュメントを表示させたままの状態でシステム終了あるいは画面の一時的ロックなどのセキュリティ対策を施さずに離席したような場合に一名の第三者が来ても、電子ドキュメントの漏洩を防ぐことができる。
【００４０】
＜他の実施形態＞
以上、本発明の実施形態を詳述したが、本発明は、複数の機器から構成されるシステムに適用してもよいし、また、一つの機器からなる装置に適用してもよい。
【００４１】
なお、本発明は、前述した実施形態の機能を実現するソフトウェアのプログラムを、システムあるいは装置に直接あるいは遠隔から供給し、そのシステムあるいは装置のコンピュータがその供給されたプログラムコードを読み出して実行することによっても達成される。その場合、プログラムの機能を有していれば、その形態はプログラムである必要はない。
【００４２】
従って、本発明の機能処理をコンピュータで実現するために、そのコンピュータにインストールされるプログラムコード自体およびそのプログラムを格納した記憶媒体も本発明を構成することになる。つまり、本発明の特許請求の範囲には、本発明の機能処理を実現するためのコンピュータプログラム自体、およびそのプログラムを格納した記憶媒体も含まれる。
【００４３】
その場合、プログラムの機能を有していれば、オブジェクトコード、インタプリタにより実行されるプログラム、ＯＳに供給するスクリプトデータ等、プログラムの形態を問わない。
【００４４】
プログラムを供給するための記憶媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４５】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００４６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００４８】
さらに、記憶媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４９】
【図１】実施形態における電子ドキュメント閲覧装置の外観を示す図である。
【図２】実施形態における電子ドキュメント閲覧装置のハードウェア構成を示すブロック図である。
【図３】第１の実施形態における電子ドキュメント閲覧処理を示すフローチャートである。
【図４】実施形態における電子ドキュメントの隠蔽化処理の例を示す図である。
【図５】実施形態における顔領域抽出処理を説明する図である。
【図６】第１の実施形態における認証情報リストの構造例を示す図である。
【図７】第２の実施形態における認証情報リストの構造例を示す図である。
【図８】第２の実施形態における電子ドキュメント閲覧処理を示すフローチャートである。
【図１】
2005346307.tif 000003
【図２】
2005346307.tif 000004
【図３】
2005346307.tif 000005
【図４】
2005346307.tif 000006
【図５】
2005346307.tif 000007
【図６】
2005346307.tif 000008
【図７】
2005346307.tif 000009
【図８】
2005346307.tif 000010